【手続補正書】
【提出日】令和3年9月28日(2021.9.28)
【手続補正１】
【補正対象書類名】特許請求の範囲
【補正対象項目名】全文
【補正方法】変更
【補正の内容】
【特許請求の範囲】
【請求項１】
プロセスプラント内のプロセスを制御するためのプロセス制御システムを構成する方法であって、
逐次、複数のフィールドデバイスに通信可能に連結されたプログラマブルロジックコントローラ（ＰＬＣ）に入力／出力（Ｉ／Ｏ）モジュールを通信可能に連結することであって、前記ＰＬＣは、前記複数のフィールドデバイスの各々について、前記それぞれのフィールドデバイスと関連付けられた値のデータを記憶する１つ以上のレジスタを有し、前記ＰＬＣは、前記複数のフィールドデバイスの各々がＰＬＣ制御タグと関連付けられるように構成され、各ＰＬＣ制御タグは、前記それぞれのフィールドデバイスについての前記１つ以上のレジスタに対応する１つ以上のタグパラメータと関連付けられている、連結することと、
前記タグパラメータをコントローラの対応するパラメータと関連付けて、それにより、前記ＰＬＣ制御タグの各々について、前記ＰＬＣ制御タグについての前記タグパラメータと関連付けられている前記コントローラの一組のパラメータが存在するように、前記Ｉ／Ｏモジュールを構成することと、
統合機能ブロックオブジェクトをインスタンス化することと、
前記統合機能ブロックオブジェクトを前記ＰＬＣ制御タグのうちの１つと関連付けることと、
を含み、
前記統合機能ブロックは、それ自体を、前記ＰＬＣ制御タグについての前記タグパラメータと関連付けられている前記コントローラの前記一組のパラメータに従って、アナログ入力機能ブロック、離散入力機能ブロック、アナログ出力機能ブロック、離散出力機能ブロック、及びカスタム入力または出力機能ブロックからなる群のうちの１つとして自動的に構成する、方法。
【請求項２】
前記統合機能ブロックは、それ自体を、前記ＰＬＣ制御タグのうちの前記１つについての前記タグパラメータが変化した場合、
アナログ入力機能ブロック、離散入力機能ブロック、アナログ出力機能ブロック、離散出力機能ブロック、及びカスタム入力または出力機能ブロックからなる群のうちの別のものとして自動的に再構成するように動作可能であり、および／または、
新しいタグパラメータに対応する入力を追加するか、前記ＰＬＣ制御タグのうちの前記
１つともはや関連付けられていないタグパラメータに対応する入力を除去するか、またはその両方を行うために自動的に再構成するように動作可能である、請求項１に記載の方法。
【請求項３】
前記統合機能ブロックは、前記ＰＬＣ制御タグのうちの前記１つと関連付けられる際、タグ定義に基づいて前記ＰＬＣ制御タグのうちの前記１つと関連付けられた前記タグパラメータに対応する入力及び／または出力を前記統合機能ブロックに追加する、請求項１に記載の方法。
【請求項４】
前記ＰＬＣ制御タグのうちの前記１つと関連付けられたフィールドデバイスと関連付けられたグラフィカルオブジェクトに前記統合機能ブロックをプログラム的に連結することをさらに含む、請求項１に記載の方法。
【請求項５】
プロセスプラント内のプロセスを制御するためのプロセス制御システム内のコントローラにダウンロードする統合機能ブロックであって、
プログラマブルロジックコントローラ（ＰＬＣ）に連結された、前記プロセスプラント内の複数のフィールドデバイスのうちの１つに対応する制御タグを構成パラメータとして受信することと、
前記統合機能ブロック自体を、前記制御タグと関連付けられた一組のパラメータに従って、アナログ入力機能ブロック、離散入力機能ブロック、アナログ出力機能ブロック、離散出力機能ブロック、及びカスタム入力または出力機能ブロックからなる群のうちの１つとして自動的に構成することと、
を行うように動作可能である、統合機能ブロック。
【請求項６】
前記統合機能ブロック自体を、前記制御タグと関連付けられた新しい一組のパラメータに従って、アナログ入力機能ブロック、離散入力機能ブロック、アナログ出力機能ブロック、離散出力機能ブロック、及びカスタム入力または出力機能ブロックからなる群のうちの別のものとして自動的に再構成するようにさらに動作可能である、請求項５に記載の統合機能ブロック。
【請求項７】
前記統合機能ブロックは、それ自体を、一組のタグ定義に従って、部分的に、自動的に構成する、請求項５に記載の統合機能ブロック。
【請求項８】
前記一組のタグ定義の各々は、
機能ブロックタイプについて、前記制御タグと関連付けられた前記一組のパラメータと、前記機能ブロックタイプと関連付けられた一組のコントローラパラメータとの間の対応を定義する、または、
前記一組のタグ定義は、複数のＰＬＣタイプと関連付けられた機能ブロックについてのタグ定義を含み、前記統合機能ブロックは、それ自体を、前記制御タグと関連付けられた前記一組のパラメータと前記ＰＬＣタイプに対応する前記タグ定義のうちの１つの一組のパラメータとの間の対応に従うＰＬＣタイプに対応する機能ブロックとして自動的に構成する、請求項７に記載の統合機能ブロック。
【請求項９】
前記統合機能ブロックは、それ自体を、前記制御タグと関連付けられた前記一組のパラメータが変化した場合に自動的に再構成する、請求項５に記載の統合機能ブロック。
【請求項１０】
前記制御タグと関連付けられた前記一組のパラメータが変化した場合に前記統合機能ブロック自体を再構成することは、
１つ以上の新しいパラメータが前記制御タグと関連付けられた場合に１つ以上の入力及び／もしくは出力を加えること、並びに／または
前記制御タグと関連付けられた１つ以上のパラメータがもはや前記制御タグと関連付けられていない場合に、１つ以上の入力及び／もしくは出力を除去すること
を含む、請求項９に記載の統合機能ブロック。
【請求項１１】
プロセスプラント内のプロセスを制御するためのシステムであって、
前記プロセスプラント内で材料を処理するために動作する複数のフィールドデバイスと、
前記プロセスプラント内での前記プロセスの制御をもたらすために、前記複数のフィールドデバイスに信号を送信し、かつそれらから信号を受信するようにプログラムされたコントローラと、
前記コントローラと前記複数のフィールドデバイスとの間に配設され、かつ前記信号を前記コントローラから前記複数のフィールドデバイスに伝達する、及び前記信号を前記複数のフィールドデバイスから前記コントローラに伝達するように動作する入力／出力（Ｉ／Ｏ）モジュールと、
前記複数のフィールドデバイスのサブセットと前記Ｉ／Ｏモジュールとの間に配設されたプログラマブルロジックコントローラ（ＰＬＣ）であって、前記複数のフィールドデバイスの前記サブセットに対して制御するように動作し、かつ前記複数のフィールドデバイスの前記サブセットの各々と関連付けられた複数のレジスタを有する、ＰＬＣと、
前記コントローラ内でインスタンス化された統合機能ブロックであって、前記統合機能ブロックは、構成中に、
前記ＰＬＣデバイスの一組の前記レジスタの割り当てを受信することであって、前記ＰＬＣデバイスの前記一組の前記レジスタは、前記複数のデバイスの前記サブセットのうちの１つのＰＬＣパラメータに対応し、各レジスタは、前記複数のデバイスの前記サブセットのうちの前記１つのパラメータに対応する、受信することと、
前記一組のレジスタ内の各レジスタについての前記ＰＬＣパラメータと前記コントローラの対応するパラメータとの間の関連付けを作成することと、
を行うように動作可能である、統合機能ブロックと
を備える、システム。
【請求項１２】
前記一組のレジスタ内の各レジスタについての前記ＰＬＣパラメータと前記コントローラの対応するパラメータとの間の関連付けを作成することは、前記レジスタの前記パラメータと前記コントローラの前記パラメータとの間の既知の関係に従って、前記関連付けを作成することを含む、請求項１１に記載のシステム。
【請求項１３】
前記統合機能ブロックは、構成中に、それ自体を、アナログ入力機能ブロック、離散入力機能ブロック、アナログ出力機能ブロック、または離散出力機能ブロックからなる群のうちの１つとして自動的に構成するようにさらに動作可能である、請求項１１に記載のシステム。
【請求項１４】
前記ＰＬＣデバイスの一組のレジスタの割り当てを受信することは、ＰＬＣ制御タグの割り当てを受信することを含み、前記制御タグは、前記一組のレジスタと関連付けられており、
前記統合機能ブロックは、それ自体を、前記ＰＬＣ制御タグと関連付けられた前記レジスタが変化した場合、再構成するようにさらに動作可能である、請求項１１に記載のシステム。
【請求項１５】
前記統合機能ブロックは、入力を追加して、前記ＰＬＣ制御タグと新たに関連付けられたレジスタに対応するように動作可能である、請求項１４に記載のシステム。
【請求項１６】
前記統合機能ブロックは、入力を除去して、前記ＰＬＣ制御タグとの関連付けから除去
されたレジスタに対応するように動作可能である、請求項１４に記載のシステム。
【請求項１７】
前記統合機能ブロックは、構成中に、それ自体を、アナログ入力機能ブロック、離散入力機能ブロック、アナログ出力機能ブロック、または離散出力機能ブロックからなる群のうちの１つとして自動的に構成するようにさらに動作可能であり、
前記統合機能ブロックは、それ自体を、前記ＰＬＣ制御タグと関連付けられた前記レジスタが変化した場合、アナログ入力機能ブロック、離散入力機能ブロック、アナログ出力機能ブロック、または離散出力機能ブロックからなる群のうちの異なる１つとして再構成するように動作可能である、請求項１４に記載のシステム。
【請求項１８】
前記ＰＬＣデバイスの一組のレジスタの割り当てを受信することは、前記一組のレジスタと関連付けられたＰＬＣ制御タグの割り当てを受信することを含み、
前記統合機能ブロックは、アナログ入力機能ブロック、離散入力機能ブロック、アナログ出力機能ブロック、または離散出力機能ブロックのうちの１つに対応する特定のタイプを有するものとしてユーザによって選択される、請求項１１に記載のシステム。
【請求項１９】
前記ＰＬＣデバイスの一組のレジスタの割り当てを受信することは、前記一組のレジスタと関連付けられたＰＬＣ制御タグの割り当てを受信することを含み、
前記統合機能ブロックは、前記ＰＬＣ制御タグと関連付けられたタグパラメータに従って、前記ＰＬＣのデバイスタイプを決定し、かつ前記統合機能ブロックを、アナログ入力機能ブロック、離散入力機能ブロック、アナログ出力機能ブロック、または離散出力機能ブロックからなる群のうちの１つとして自動的に構成するように動作可能である、請求項１１に記載のシステム。